(57)【要約】【課題】付箋紙を付箋紙束から確実に剥離する付箋紙プリンタを提供すること。【解決手段】付箋紙プリンタ１は、糊部４ａを有する複数の付箋紙４Ｐが積層された付箋紙束４を底板５２に載置するためのトレイ５と、付箋紙束４の最上位に位置する付箋紙４Ｐを押さえるための規制部３６と、付箋紙４Ｐの自由端部と当接可能に配置され付箋紙４Ｐを規制部３６の方向へ捲って付箋紙束４から剥離させるためのピックアップローラ３５と、を備え、規制部３６は、付箋紙４Ｐの糊部４ａとピックアップローラ３５が自由端部へ当接する位置との間の非糊部を押さえるように配置されていることを特徴とする。【選択図】図４
2008285254.tif 000002
【特許請求の範囲】
【請求項１】
一端に糊部を有する複数の付箋紙が積層された付箋紙束を載置するためのトレイと、
前記付箋紙束の付箋紙を押さえるための規制部と、
前記付箋紙の自由端部と当接可能に配置され前記付箋紙を前記付箋紙束から剥離させるためのローラと、を備え、
前記規制部は、前記付箋紙の前記糊部と前記自由端部との間を押さえるように配置されていることを特徴とする付箋紙プリンタ。
【請求項２】
請求項１に記載の付箋紙プリンタにおいて、
前記規制部は、前記ローラが前記付箋紙の前記自由端部へ当接し前記自由端部を撓ませて前記付箋紙束から捲り上げている時には、前記付箋紙束を押さえて規制し、前記ローラが前記付箋紙束から前記付箋紙を剥離するように送り出している時には、前記付箋紙束から離反していることを特徴とする付箋紙プリンタ。
【請求項３】
請求項１または２に記載の付箋紙プリンタにおいて、
前記ローラを支持する支持アームと連結した規制機構部をさらに備え、
前記規制機構部は、前記支持アームの揺動に連動し、前記規制部に対して前記付箋紙を押さえる規制および前記付箋紙からの離反を行わせることを特徴とする付箋紙プリンタ。
【請求項４】
請求項３に記載の付箋紙プリンタにおいて、
前記規制部は、前記規制部を回転可能にするための軸支部と、
前記軸支部に対して一端側に設けられ前記付箋紙と当接する押さえ部と、
前記軸支部に対して前記一端側と反対側に設けられ前記規制機構部を受け入れる受部と、
前記押さえ部が前記付箋紙を押さえて規制するための押圧を付与する押圧部と、を有することを特徴とする付箋紙プリンタ。
【発明の詳細な説明】
【技術分野】
【０００１】
本発明は、糊部を有する付箋紙束から付箋紙を剥離して印刷する付箋紙プリンタに関する。
【背景技術】
【０００２】
従来、付箋紙の糊部を揃えて複数枚重ねた付箋紙束から、付箋紙を１枚ずつピックアップローラによって剥離し、剥離した付箋紙へ印刷をする付箋紙プリンタが知られている。付箋紙束は、付箋紙が積層されたものであって、付箋紙ホルダへ収容されると、最上位の付箋紙が位置規制部と当接している。この位置規制部は、糊部の端部側と当接するように設けられている。
【０００３】
このような構成において、ピックアップローラは、付箋紙束の最上位の付箋紙を上方へ撓ませて、ピックアップローラの上部側へ撥ね上げる。付箋紙束から剥離された付箋紙は、ピックアップローラの移動により印刷ヘッドとの間に挟持され、印刷部へ送られて印刷される（例えば特許文献１）。
【０００４】
【特許文献１】特開２００３−８１４５７号公報
【発明の開示】
【発明が解決しようとする課題】
【０００５】
しかし、付箋紙束の糊部の長さは、付箋紙束によって異なっている場合があり、撓み高さおよび撓みの形状が異なっていた。具体的には、糊部が最大長の場合には、付箋紙が高く撓んで反発力が強く、ピックアップローラの上部側へ撥ね上がり易いが、糊部が最小長の場合には、付箋紙が、最大長の場合ほど高く撓まず反発力も弱く、付箋紙がピックアップローラの上部側へ撥ね上がり難い。そのため、付箋紙の撓み方のばらつきにより、付箋紙の安定した剥離が困難である、という課題があった。
【０００６】
本発明は、上記課題を解決するために、付箋紙を付箋紙束から確実に剥離する付箋紙プリンタを提供することを目的とする。
【課題を解決するための手段】
【０００７】
本発明の付箋紙プリンタは、一端に糊部を有する複数の付箋紙が積層された付箋紙束を載置するためのトレイと、付箋紙束の付箋紙を押さえるための規制部と、付箋紙の自由端部と当接可能に配置され付箋紙を付箋紙束から剥離させるためのローラと、を備え、規制部は、付箋紙の糊部と自由端部との間を押さえるように配置されていることを特徴とする。
【０００８】
この付箋紙プリンタによれば、付箋紙を押さえる規制部が付箋紙の自由端部を押さえており、ローラが付箋紙の自由端部を糊部の方向へ送ると、付箋紙は規制部によって送りを止められて捲り上がる。これにより、付箋紙は、付箋紙束から剥離可能な状態となる。一方、規制部が自由端部を押さえていなければ、ローラが自由端部を糊部の方向へ送ると、付箋紙は規制部ではなく糊部によって送りを止められて捲り上がり、付箋紙束から剥離される状態となる。しかし、糊部の領域は、付箋紙束によって異なる場合があり、一定した設定となっていない。そのため、糊部と自由端部との領域割合が異なり、付箋紙に当接したローラから糊部までの長さも異なる。ローラと糊部との間の長さが異なると、同一の材質、紙厚、形状の付箋紙であっても、ローラの送りに対する剛性が変わり、ローラによる捲りが一定の安定した条件下で行われない。その結果、付箋紙の剥離ができない場合が生じてしまう。このような事態を回避するため、付箋紙プリンタは、糊部の領域のバラツキを考慮して、規制部が糊部を避けた位置で付箋紙の自由端部を押さえるように設定されている。つまり、糊部の領域の多少に関わらず、付箋紙に当接したローラから規制部までの間が、常に、自由端部であり、ローラによる付箋紙の捲り上げが一定条件下において行える。従って、付箋紙プリンタは、付箋紙の自由端部を付箋紙束から安定して捲り上げることが可能であり、付箋紙の確実な剥離が行える。
【０００９】
この場合、規制部は、ローラが付箋紙の自由端部へ当接し自由端部を撓ませて付箋紙束から捲り上げている時には、付箋紙束を押さえて規制し、ローラが付箋紙束から付箋紙を剥離するように送り出している時には、付箋紙束から離反していることが好ましい。
【００１０】
この構成によれば、規制部は、付箋紙を付箋紙束から剥離し易くするために、まず、ローラが自由端部を捲り上げて付箋紙束から剥離している時には、付箋紙束を押さえて、ローラによる規制部の方向への付箋紙の送りを止め、付箋紙が付箋紙束から捲り上がり易くしている。次に、ローラが付箋紙の自由端部を送り出して糊部を付箋紙束から剥離している時には、規制部が付箋紙束から離反していて付箋紙束を押さえていない。そのため、糊部の剥離は、規制部の押さえを加味せず、糊部の貼着力に抗する力だけを付与することで可能である。このように、規制部が付箋紙の自由端部および糊部の剥離に合わせて、付箋紙の押さえの有無を選択的に実行することにより、過大な力を要せずに効率的な付箋紙の剥離が可能である。
【００１１】
また、付箋紙プリンタは、ローラを支持する支持アームと連結した規制機構部をさらに備え、規制機構部は、支持アームの揺動に連動し、規制部に対して付箋紙を押さえる規制および付箋紙からの離反を行わせることが好ましい。
【００１２】
この構成によれば、規制部は、規制機構部によって、付箋紙に対する押さえおよび離反を行わされている。即ち、支持アームが揺動してローラが付箋紙の自由端部に当接し、自由端部を捲っている時には、規制機構部は規制部に自由端部を押さえさせて規制させ、支持アームが揺動してローラが自由端部を送って糊部を剥離している時には、規制機構部は規制部を付箋紙から離反させている。このように、付箋紙の剥離状態に伴う支持アームの揺動が、規制機構部を介して規制部に伝達されることにより、規制部は、付箋紙に対しての押さえおよび離反をタイミング良く的確に行うことが可能である。
【００１３】
この場合、規制部は、規制部を回転可能にするための軸支部と、軸支部に対して一端側に設けられ付箋紙と当接する押さえ部と、軸支部に対して一端側と反対側に設けられ規制機構部を受け入れる受部と、押さえ部が付箋紙を押さえて規制するための押圧を付与する押圧部と、を有することが好ましい。
【００１４】
この構成によれば、規制部は、押さえ部、受部、軸支部および押圧部を有し、軸支部を中心にして回転可能であり、付箋紙束が載置されると、押圧部によって押さえ部が付箋紙束を押さえる。また、受部に規制機構部が作用すると、規制部は、押圧部による押圧をキャンセルするように回転し、この回転により押さえ部が付箋紙から離反する。このように、規制部は、規制機構部の作用に応じて回転し、付箋紙への規制および離反を行うシンプルな構成である。そのため、規制部は、動作が確実に保証でき、且つ、容易にメンテナンスが可能である。
【発明を実施するための最良の形態】
【００１５】
以下、本発明の付箋紙プリンタの実施形態について図面に従って説明する。実施形態における付箋紙プリンタは、パーソナルコンピュータと接続して、パーソナルコンピュータで作成して選択した文字、図形、電子メールなどの各種データを、糊部を有する付箋紙に印刷するものである。この付箋紙プリンタは、付箋紙が重ねられた付箋紙束をトレイに収容し、付箋紙束から付箋紙を一枚ずつ捲り上げて、糊部から引き剥がしながら印刷機構へ送って印刷するためのものである。印刷機構の印刷部では、サーマルヘッドによってインクリボンを付箋紙へ転写して各種データを印刷する。
（実施形態）
【００１６】
図１は、本発明の実施形態に係る付箋紙プリンタの外観を示す斜視図である。付箋紙プリンタ１は、外郭を形成するケース２を備え、ケース２は、ケース本体２ａと、ケース本体２ａの上面部の一部を構成する開閉蓋２ｂと、を有している。ケース本体２ａは、ケース本体２ａの下部に設けられ付箋紙４Ｐが重ねられた束である付箋紙束４を収容するトレイ５と、トレイ５をケース本体２ａの下部から挿抜するために脱着可能に設けられた支持プレート６と、ケース本体２ａと開閉蓋２ｂとの間にスリット状をなして位置し印刷済みの付箋紙４Ｐをケース２の外部に送り出すための排出口７と、を有している。そして、開閉蓋２ｂは、排出口７の側が上下方向に開閉するように、ヒンジによって、ケース本体２ａに取り付けられており、開閉蓋２ｂを開けると、付箋紙４Ｐに印刷をする印刷機構等のメンテナンスや、インクリボンを収容したリボンカートリッジの交換などを行うことが可能である。
【００１７】
次に、付箋紙プリンタ１の内部の構成について説明する。図２は、付箋紙プリンタの内部の構成を示す斜視図である。また、図３は、リボンカートリッジを外してトレイを抜き出した状態の付箋紙プリンタの内部を示す斜視図である。図２および図３に示すように、付箋紙プリンタ１は、上下方向に延在する平板状のメインフレーム１０と、メインフレーム１０の下部にメインフレーム１０と直角の水平方向に取り付けられたサブフレーム１１と、を有している。
【００１８】
サブフレーム１１は、上部および下部方向へ開口した箱状であり、この箱状部に付箋紙束４を収容するトレイ５が挿抜自在に格納されている。下部の開口は、図３に示すように、トレイ５を挿抜するためのトレイ挿抜口１５であり、トレイ挿抜口１５は、トレイ５が格納されると、支持プレート６によって閉鎖される。また、支持プレート６は、プレート止ねじ８によってケース本体２ａ（図１）に取り付けられる。さらに、サブフレーム１１には、トレイ５に収容されている付箋紙束４から付箋紙４Ｐ（図１）を一枚ずつ捲り上げるためのピックアップユニット３１が、トレイ５と共に給紙装置３０として設けられている。
【００１９】
そして、メインフレーム１０には、ピックアップユニット３１の上方に位置し付箋紙４Ｐに印刷を行う印刷機構２０と、給紙装置３０および印刷機構２０を駆動するモータ４１を含む伝達機構４０と、が設けられている。
【００２０】
以下に各機構の構成について、図２および図３に基づいて説明する。給紙装置３０は、トレイ５と、ピックアップユニット３１と、付箋紙束４の上方向の高さ位置を決めるための位置決め部３２と、を有している。トレイ５は、付箋紙束４を載置するための底板５２を有し、この底板５２は、上下方向へ移動することができ、載置した付箋紙束４を上方へ押し上げている。位置決め部３２は、付箋紙束４の長手方向の両端部にそれぞれ位置し、トレイ５の上方を跨ぐようにサブフレーム１１へ固定されている。上方へ押し上げられた付箋紙束４の両端部は、これら位置決め部３２にそれぞれ当接することにより、付箋紙束４の最上位の付箋紙４Ｐが、常に、既定された一定の高さ位置に配置されている。なお、底板５２の移動については、図４に示してあり後述する。
【００２１】
また、トレイ５は、付箋紙束４に合わせて、種々の幅の付箋紙束４を収容できるように設定されている。図２および図３では、最少幅の付箋紙束４が、トレイ５の内壁面に当接してトレイ５に収容されている場合を示している。この場合、付箋紙束４は、長手方向の一端側に糊部４ａを有しており、糊部４ａに規制されない自由端部の側が排出口７へ向いて、トレイ５に収容されている。
【００２２】
そして、トレイ５は、最小幅の付箋紙束４をより安定して載置するために、内壁面に当接する積層面と反対側の積層面をガイドする幅ガイド板（不図示）を設けてある。幅ガイド板は、ブックエンド形式のものや、底面に埋め込むように寝かせてある複数の幅ガイド板のうち、付箋紙束４に合致した幅ガイド板を起こす形式のものなどが考えられる。このように、いずれの幅の付箋紙束４であっても、トレイ５は、付箋紙束４を規制した状態で、付箋紙束４を適切に且つ安定して載置することが可能である。なお、図３に示すように、ユーザーが支持プレート６をケース本体２ａ（図１）から取り外して、さらにトレイ５をサブフレーム１１から抜き出すことにより、トレイ５へ付箋紙束４を新規載置、補充または交換することなどが可能である。
【００２３】
ピックアップユニット３１は、図２に示すように、付箋紙束４の幅方向に延在する連結アーム３４と、連結アーム３４とＵ字をなすように連結アーム３４の両端部を支持する支持アーム３３（メインフレーム１０の側の支持アームは不図示）と、サブフレーム１１に設けられ支持アーム３３を回転自在に支持するアーム軸支部１２と、付箋紙束４を上側から臨む位置に連結アーム３４と平行に設けられたピックアップローラ（ローラ）３５と、ピックアップローラ３５を連結アーム３４に支持しピックアップローラ３５と一体回転するローラ軸３５ａと、を有している。
【００２４】
このような構成において、支持アーム３３は、伝達機構４０のカム機構により、連結アーム３４を上下に揺動させ、ピックアップローラ３５を付箋紙束４へ当接または離反させる。また、ローラ軸３５ａは、伝達機構４０からギアを介して回転動力が伝達されピックアップローラ３５を回転させる。ピックアップローラ３５は、最少幅の付箋紙束４の長さを有し、ローラ軸３５ａのメインフレーム１０の側に寄せて配設されており、ローラ軸３５ａに装着した樹脂性のコア部およびコア部の外周面に巻装したゴムロール部とで構成されている。ゴムロール部には、シリコンゴムなどの耐熱性を有する高摩擦材料が用いられている。
【００２５】
さらに、ピックアップユニット３１は、付箋紙束４と当接または離反して付箋紙束４から付箋紙４Ｐをより安定してピックアップするための規制部３６と、規制部３６へ作用し付箋紙束４との当接または離反を規制部３６に行わせるレバー状の規制カム（規制機構部）３３ａと、を有している。規制部３６は、規制カム３３ａが作用するカム受部（受部）３６ａと、付箋紙束４を押さえるための押さえ部３６ｂと、規制部３６を回転自在にサブフレーム１１に軸支する軸支部３６ｃと、を有している。そして、規制部３６は、糊部４ａの側の位置決め部３２とピックアップローラ３５との間に、トレイ５の上方を跨いで位置決め部３２と平行にサブフレーム１１へ取り付けられている。
【００２６】
また、規制部３６は、軸支部３６ｃに対して、ピックアップローラ３５の側に押さえ部３６ｂが位置し、ピックアップローラ３５と反対側にカム受部３６ａが位置している。押さえ部３６ｂは、付箋紙束４がサブフレーム１１内のトレイ５に収容されている場合、糊部４ａの長手方向の長さが付箋紙束４によって異なっていても、その糊部４ａの長さのバラツキを考慮して配置されている。つまり、押さえ部３６ｂは、常に、付箋紙束４の糊部４ａ近傍の非糊部を押さえるように設定されている。
【００２７】
ここで、図２に示すように、押さえ部３６ｂが付箋紙束４を確実に押さえるように、規制部３６は、規制部３６のメインフレーム１０の側に押圧部３６ｄ（図４（ｂ））を有している。この押圧部３６ｄが押さえ部３６ｂを付箋紙束４の方向へ回転させるための押圧を付与している。一方、図３に示すように、トレイ５が抜き出されている状態において、押さえ部３６ｂが下方へ回転し過ぎてしまい、次回のトレイ５挿入時に、付箋紙４Ｐを正しく押さえられない事態を回避するため、規制部３６の回転を止める回転止め（不図示）がメインフレーム１０側に設けられている。
【００２８】
また、規制カム３３ａは、支持アーム３３と一体に形成され、アーム軸支部１２に対して支持アーム３３と反対方向へ延在している。この規制カム３３ａは、支持アーム３３の揺動に連動してレバー端が規制部３６のカム受部３６ａへ作用する。具体的には、ピックアップローラ３５が下方に位置する場合、規制カム３３ａがカム受部３６ａから離反しており、押さえ部３６ｂは、図２に示すように、押圧部により付箋紙束４を押さえる方向に回転して付箋紙束４を押さえている。または、図３に示すように、付箋紙束４がない場合、回転止めで回転を止められた状態で静止している。ピックアップユニット３１による付箋紙４Ｐのピックアップについての詳細は、図５を参照して後述する。
【００２９】
次に、印刷機構２０について説明する。印刷機構２０は、図２に示すように、メインフレーム１０に固定された印刷機構フレーム２１と、印刷機構フレーム２１に着脱自在に取り付けられたリボンカートリッジ２２と、を有している。また、図３に示すように、印刷機構フレーム２１に片持支持され装着されたリボンカートリッジ２２（図２）と、リボン巻取機構２５を構成するリボン巻取軸２６と、付箋紙４Ｐを捲り上げて移動して来たピックアップローラ３５と当接して従動回転するガイドローラ２７と、印刷機構フレーム２１に片持支持されガイドローラ２７を軸支するガイド軸２７ａと、が設けられている。
【００３０】
さらに、印刷機構フレーム２１には、ガイドローラ２７に近接して印刷部２９が片持支持されて、ガイドローラ２７と平行に取り付けられている。この印刷部２９は、付箋紙束４に対向し付箋紙束４の幅方向と平行に発熱素子が列設されたサーマルヘッド２８を有している。この場合、発熱素子の列設は、最少幅の付箋紙４Ｐに対応した長さに設定されている。従って、トレイ５に最大幅の付箋紙束４を載置した場合、付箋紙４Ｐの非印刷部分は、手書き用のスペース、つまり余白となる。なお、付箋紙４Ｐへの印刷およびリボンカートリッジ２２の構成の詳細は、図６、図７を参照して後述する。
【００３１】
次に、付箋紙束４を収容する給紙装置３０の構成についてさらに詳細に説明する。図４（ａ）は、付箋紙プリンタの給紙装置の構成を示す断面図、図４（ｂ）は、付箋紙束を押さえる規制部を主に示す断面図である。給紙装置３０の構成説明の前に、付箋紙束４について説明しておく。図４（ａ）に示すように、付箋紙束４は、多数枚の同形状の付箋紙４Ｐを積層したものであり、それぞれの付箋紙４Ｐは、端部側の裏面の一部分が糊付けされている。付箋紙束４は、糊付けされていない台紙上に、付箋紙４Ｐの糊付け側を台紙の一端側に揃えて糊部４ａとして積層しており、付箋紙４Ｐの自由端部の表面を捲ることにより、付箋紙４Ｐを糊部４ａから一枚ずつ剥離することが可能に構成されている。従って、付箋紙４Ｐは、付箋紙束４から剥離された後に、糊付け部分を介して、ノートなどの被着体に対し再度の貼着が可能である。
【００３２】
給紙装置３０を構成するトレイ５は、図４（ａ）に示すように、既述したトレイ５内面の底部側に設けられた底板５２と、底板５２を上方へ付勢する付勢部５３と、を有している。底板５２への付箋紙束４の載置は、付箋紙束４の自由端部がピックアップローラ３５の側に配置され、糊部４ａが規制部３６の側に配置されている。トレイ５は、付箋紙束４が載置されてサブフレーム１１の内部へセットされると、底板５２が付勢部５３によって上方へ付勢され、付箋紙束４を位置決め部３２へ押し付ける。同時に、規制部３６が糊部４ａ近傍の自由端部を押さえる。なお、底板５２には、付箋紙束４の糊部４ａを載置する側を示す案内が明示されていてもよい。
【００３３】
位置決め部３２は、断面が略Ｌ字状をなし、付箋紙束４の糊部４ａ端部と、自由端部と、に設けられている。付箋紙束４は、この位置決め部３２の略Ｌ字状の一端部に押し付けられている。そして、ピックアップローラ３５は、自由端部側で給紙待機の状態にあり、いつでも印刷のために給紙を開始することができる。
【００３４】
付勢部５３は、底板５２とトレイ５内面の底部との間に設けられたばねであって、一方の端部が底板５２の下面部に係止され、他方の端部がトレイ５内面の底部に係止されている。付勢部５３のばねは、底板５２をバランスよく上方へ付勢するように配置されており、これらばねによって、底板５２へ載置された付箋紙束４は、位置決め部３２へ均等な強さで押し付けられている。よって、付箋紙束４は、付箋紙４Ｐが一枚ずつ剥離されて目減りしても、その最上位に位置する付箋紙４Ｐの高さレベルが、常に、定位置に維持されている。
【００３５】
規制部３６は、図４（ｂ）に示すように、軸支部３６ｃによって回転自在にサブフレーム１１に取り付けられ、軸支部３６ｃに対して付箋紙束４の糊部４ａに位置するカム受部３６ａと、カム受部３６ａから略Ｌ字状に連続し一端が非糊部を押さえる押さえ部３６ｂと、押さえ部３６ｂを付箋紙束４へ押し付けるための押圧を付与する押圧部３６ｄと、を有している。押圧部３６ｄは、押さえ部３６ｂを付箋紙束４の方向へ回転させるように押圧を付与するばねである。
【００３６】
また、付箋紙束４の糊部４ａ端部から非糊部との境界までの長さＬは、糊部４ａの領域のバラツキを含む長さであり、糊部４ａ端部から押さえ部３６ｂと非糊部との当接位置までの長さＳは、長さＬの最大長より長い。この設定により、糊部４ａの長さＬにバラツキが生じても、押さえ部３６ｂは、糊部４ａを押さえることなく、常に、非糊部を押さえている。
【００３７】
次に、ピックアップローラ３５による給紙の一連の動作について説明する。図５および図６は、給紙装置による付箋紙供給の一連の流れを順に示す断面図である。図５（ａ）は、ピックアップローラが付箋紙束を押さえた状態を示す断面図であって、給紙待機の状態を示している。この給紙待機において、ピックアップローラ３５は、トレイ５の底板５２に載置された付箋紙束４に押圧を付与しつつ、付箋紙束４の最上位の付箋紙４Ｐの表面に当接している。つまり、図２に示す状態である。この場合、規制カム３３ａは、規制部３６のカム受部３６ａから離反しており、規制部３６の押さえ部３６ｂは、押圧部３６ｄ（図４（ｂ））の押圧によって、付箋紙束４の非糊部を押さえている。
【００３８】
そして、モータ４１の回転を伝達機構４０により伝達されたピックアップローラ３５は回転しながら付箋紙束４の最上位の付箋紙４Ｐを捲り上げ、撓ませ始める。図５（ｂ）は、ピックアップローラが付箋紙を撓ませた状態を示す断面図である。図５（ｂ）に示すように、ピックアップローラ３５の回転に伴い、付箋紙４Ｐが自由端部側の位置決め部３２から引き出され、付箋紙４Ｐの長手方向の中間部が、次第に上方へと湾曲するように撓んでゆく。この時、規制部３６の押さえ部３６ｂが非糊部を押さえているため、非糊部は、ピックアップローラ３５と押さえ部３６ｂとの間において撓みが生じる。そのため、付箋紙４Ｐは、糊部４ａの長さＬ（図４（ｂ））に影響されることなく、ピックアップローラ３５と押さえ部３６ｂとの間において、常に、同条件で同じ撓み形状に撓むことになる。これにより、ピックアップローラ３５による付箋紙４Ｐの捲り上げが安定して行える。
【００３９】
図５（ｃ）は、付箋紙がピックアップローラに乗り上げた状態を示す断面図である。図５（ｃ）に示すように、捲り上げられ撓んでゆく付箋紙４Ｐの自由端部の先端が、ピックアップローラ３５の下側を通過すると、ピックアップローラ３５の回転方向に沿って上方に撥ね上げられ、ピックアップローラ３５に載り上げる。つまり、付箋紙４Ｐは、一旦撓んでから自由端部先端が撥ね上げられ、ピックアップローラ３５の上側に回り込むようにして、ピックアップローラ３５に載せられる。
【００４０】
付箋紙４Ｐを載せたピックアップローラ３５は、続いて印刷位置に移動する。図６（ｄ）は、付箋紙に印刷を開始した状態を示す断面図である。図６（ｄ）に示すように、ピックアップローラ３５は、印刷位置に移動すると、印刷部２９のサーマルヘッド２８およびガイドローラ２７との間に付箋紙４Ｐを挟持する。なお、図示していないが、サーマルヘッド２８と付箋紙４Ｐとの間には、図７を参照して後述するインクリボンが挟持されている。この時、ガイドローラ２７は、ピックアップローラ３５の回転に合わせて回転し、ピックアップローラ３５と共に付箋紙４Ｐを糊部４ａから引き剥がす方向へ送る。同時に、印刷部２９のサーマルヘッド２８によりインクリボンを介して付箋紙４Ｐへ印刷を行う。
【００４１】
この場合、ピックアップローラ３５に連動して、規制カム３３ａのレバー端が規制部３６のカム受部３６ａに作用し、カム受部３６ａを押圧部３６ｄの押圧に抗して付箋紙束４の方向へ回転移動させる。カム受部３６ａの回転移動により、押さえ部３６ｂが付箋紙４Ｐの非糊部から離反して、押さえ部３６ｂによる非糊部の押さえが解除されている。
【００４２】
図６（ｅ）は、付箋紙が糊部から離反する状態を示す断面図であり、付箋紙４Ｐは、ピックアップローラ３５の回転により、糊部４ａから順次引き剥がされ、糊部４ａ側の位置決め部３２からも引き出されてゆく。そして、押さえ部３６ｂによる押さえの拘束がないことにより、付箋紙４Ｐは、印刷の進行と共に順次印刷部２９へ送られるにつれて、糊部４ａから上方へ徐々に引き剥がされてゆく。この時、引き剥がすための剥離力は、糊部４ａの引き剥がされる部分の部分的な粘着力より大きければ良い。つまり、押さえ部３６ｂによる拘束が無ければ、剥離力が小さくて済み、ピックアップローラ３５の回転負荷も軽減される。
【００４３】
図６（ｆ）は、付箋紙への印刷が終了した状態を示す断面図である。図６（ｆ）に示すように、印刷された付箋紙４Ｐは、ピックアップローラ３５およびガイドローラ２７によって順次送られ、さらに、図１に示すケース２の排出口７から外部に送り出される。付箋紙４Ｐが排出口７から外部に送り出された後、ピックアップローラ３５は、下へ移動し給紙待機状態へ戻る。そして、規制カム３３ａは、規制部３６のカム受部３６ａから離反し、規制部３６の押さえ部３６ｂは、押圧部３６ｄの押圧によって、付箋紙束４の非糊部を押さえている。
【００４４】
次に、印刷に供されるインクリボンを収容するリボンカートリッジについて説明する。図７（ａ）は、リボンカートリッジの構成を主に示す断面図である。また、図７（ｂ）は、印刷時のリボンカートリッジを示す断面図である。リボンカートリッジ２２は、内部に、インクリボン２４を巻き取るリボン巻取リール２３ａと、インクリボン２４を繰り出し自在に巻回したリボン繰出リール２３ｂと、を回転自在に収容している。リボン繰出リール２３ｂは、自由回転可能に構成され、リボン巻取リール２３ａは、印刷機構フレーム２１に片持支持されたリボン巻取軸２６に係合するように構成されている。
【００４５】
また、リボンカートリッジ２２は、印刷機構フレーム２１に装着された状態においてトレイ５（図２）と対向する方向に開口２２ａを有し、インクリボン２４がこの開口２２ａに沿うように繰り出されている。また、この時、印刷部２９がリボンカートリッジ２２の開口２２ａの近傍に臨んでおり、サーマルヘッド２８に対してインクリボン２４がトレイ５の側に位置している。そして、リボンカートリッジ２２が印刷機構フレーム２１に装着され、リボン巻取リール２３ａがリボン巻取軸２６に同調して駆動回転すると、リボン繰出リール２３ｂからインクリボン２４が繰り出されて走行し、リボン巻取リール２３ａへ巻き取られる。
【００４６】
図７（ｂ）は、図６（ｄ）および（ｅ）に示している印刷状態時のリボンカートリッジ２２を表している。印刷部２９のサーマルヘッド２８は、開口２２ａにおいて、インクリボン２４と付箋紙４Ｐとを挟持して、ピックアップローラ３５と当接している。この状態では、インクリボン２４は、サーマルヘッド２８の側に位置し、付箋紙４Ｐは、ピックアップローラ３５の側に位置する。ピックアップローラ３５とリボン巻取軸２６とが同調して回転すると、サーマルヘッド２８の位置でインクリボン２４と付箋紙４Ｐとが重なって併走し、サーマルヘッド２８の発熱素子の発熱駆動により、付箋紙４Ｐへインクリボン２４のインクが熱転写され、印刷がなされる。印刷後、インクリボン２４は、リボン巻取リール２３ａに巻き取られ、付箋紙４Ｐは、排出口７へ送られる。
【００４７】
ここで、ユーザーがパーソナルコンピュータ等で各種データを作成し、付箋紙プリンタ１で付箋紙４Ｐに印刷をする一連の過程について説明する。まず、付箋紙プリンタ１とパーソナルコンピュータとをＵＳＢあるいは他の端子とケーブルで相互に接続する。これにより、付箋紙プリンタ１は、パーソナルコンピュータと通信接続状態となる。次に、付箋紙プリンタ１からトレイ５を抜き出し、付箋紙束４をトレイ５へ載置する。
【００４８】
また、付箋紙束４を載置するのと相前後して、開閉蓋２ｂ（図１）を開けて、リボンカートリッジ２２を装着する。この時、リボンカートリッジ２２の開口２２ａのインクリボン２４がサーマルヘッド２８の下側に位置し、且つ、リボン巻取リール２３ａがリボン巻取軸２６に係合する。これにより、付箋紙プリンタ１は、印刷待機状態となる。給紙装置３０は、給紙待機状態である。
【００４９】
次に、パーソナルコンピュータを操作して、所望の印刷データを作成し、その中から選択して、印刷実行を指令する。印刷実行が指令されると、最上位の付箋紙４Ｐがピックアップローラ３５によって付箋紙束４から捲り上げられ、ピックアップローラ３５に乗り上げる。続いて、ピックアップローラ３５が移動し、サーマルヘッド２８との間で付箋紙４Ｐおよびインクリボン２４を挟み込むと共に、ピックアップローラ３５とガイドローラ２７との間で付箋紙４Ｐを挟持する。ピックアップローラ３５の回転により、付箋紙４Ｐおよびインクリボン２４が同時に送られると共に、適宜にサーマルヘッド２８が発熱駆動し、インクリボン２４によって付箋紙４Ｐに印刷が行われる。
【００５０】
印刷後のインクリボン２４は、リボンカートリッジ２２内のリボン巻取リール２３ａに巻き取られるが、印刷後の付箋紙４Ｐは、付箋紙束４から引き剥がされ、印刷された表面を上にして排出口７から送り出されてゆく。このとき、送り出される印刷済み付箋紙４Ｐは、排出口７から落下しない位置に停止されている。ユーザーは、糊部４ａに触れることなく付箋紙４Ｐを把持して、排出口７から取り出し、所望の被着体に容易に貼り付けることが可能である。
【００５１】
以上説明した実施形態の効果をまとめて記載する。
【００５２】
（１）付箋紙プリンタ１は、規制部３６の押さえ部３６ｂが付箋紙束４の糊部４ａを避けた位置で非糊部を押さえるように設定されている。これにより、付箋紙束４に当接したピックアップローラ３５から押さえ部３６ｂまでが非糊部となり、糊部４ａの長さＬのバラツキ等の影響を受けることなく、付箋紙４Ｐの捲り上げが安定して行える。
【００５３】
（２）また、ピックアップローラ３５が付箋紙４Ｐを捲り上げる時には、押さえ部３６ｂが付箋紙４Ｐを押さえて、捲り上げを容易にし、ピックアップローラ３５が付箋紙４Ｐを糊部４ａから引き剥がす時には、押さえ部３６ｂが付箋紙４Ｐから離反していて、糊部４ａから付箋紙４Ｐを剥離するためのピックアップローラ３５の負荷を軽減することが可能である。このような押さえ部３６ｂの作用により、付箋紙４Ｐを容易に付箋紙束４から剥離することが可能である。
【００５４】
（３）さらに、押さえ部３６ｂは、ピックアップローラ３５を支持する支持アーム３３の揺動に連動した規制カム３３ａによって、付箋紙４Ｐへの押さえが制御されるため、ピックアップローラ３５による付箋紙４Ｐの捲りおよび糊部４ａからの剥離のタイミングに合わせて、付箋紙４Ｐへの押さえおよび離反が確実に行える。
【００５５】
また、本発明は上記の実施形態に限定されるものではなく、次に挙げる変形例のような形態であっても、実施形態と同様な効果が得られる。
【００５６】
（変形例１）規制部３６のカム受部３６ａと押さえ部３６ｂとは、押さえ部３６ｂが付箋紙束４の非糊部を押さえる構成であれば、軸支部３６ｃに対し実施形態の場合と反対位置にそれぞれ配置されていても良い。この配置でも、規制部３６は、実施形態の例と同様の機能を果たすことが可能である。
【００５７】
（変形例２）規制部３６の形状は、略Ｌ字状に限定されるものではなく、平板等の形状であっても良い。平板等を回転可能に軸支する軸支部３６ｃに対して、一端が押さえ部３６ｂであり、他端側がカム受部３６ａであって、略Ｌ字状の規制部３６と同様の機能を発揮する。
【００５８】
（変形例３）規制部３６は、押圧部３６ｄの押圧によって付箋紙束４を押さえているが、この構成に限定されずに、押さえ部３６ｂの自重で付箋紙束４を押さえる構成であっても良い。押さえ部３６ｂの形状変更や材種変更などが必要であっても、押圧部３６ｄをなくして構成を簡略にすることが可能である。
【００５９】
（変形例４）付箋紙束４の糊部４ａ側の位置決め部３２を廃止し、その機能を規制部３６の押さえ部３６ｂに持たせる構成であっても良い。この場合、規制部３６は、位置決め部３２と同位置に付箋紙束４を位置決めするための回転止めを有し、押さえ部３６ｂの上方への回転し過ぎを防止する。また、回転止めは、規制カム３３ａのカム受部３６ａへの当接に連動して解除される機構となっている。これにより、２本の位置決め部３２を１本に削減することが可能である。
【００６０】
（変形例５）付箋紙束４をトレイ５へ載置する時、トレイ５をケース２の下方へ抜き出す構成に限定されずに、サブフレーム１１から付箋紙束４の長手方向へ引き出す構成等であっても良い。
【図面の簡単な説明】
【００６１】
【図１】本発明の実施形態に係る付箋紙プリンタの外観を示す斜視図。
【図２】付箋紙プリンタの内部の構成を示す斜視図。
【図３】リボンカートリッジを外しトレイを抜き出した状態の付箋紙プリンタの内部を示す斜視図。
【図４】（ａ）付箋紙プリンタの給紙装置の構成を示す断面図、（ｂ）付箋紙束を押さえる規制部を主に示す断面図。
【図５】（ａ）ピックアップローラが付箋紙束を押さえた状態を示す断面図、（ｂ）ピックアップローラが付箋紙を撓ませた状態を示す断面図、（ｃ）付箋紙がピックアップローラに乗り上げた状態を示す断面図。
【図６】（ｄ）付箋紙に印刷を開始した状態を示す断面図、（ｅ）付箋紙が糊部から離反する状態を示す断面図、（ｆ）付箋紙への印刷が終了した状態を示す断面図。
【図７】（ａ）リボンカートリッジの構成を主に示す断面図、（ｂ）印刷時のリボンカートリッジを示す断面図。
【符号の説明】
【００６２】
１…付箋紙プリンタ、２…ケース、４…付箋紙束、４ａ…糊部、４Ｐ…付箋紙、５…トレイ、６…支持プレート、１５…トレイ挿抜口、２０…印刷機構、２２…リボンカートリッジ、２５…リボン巻取機構、２８…サーマルヘッド、２９…印刷部、３０…給紙装置、３１…ピックアップユニット、３２…位置決め部、３３…支持アーム、３３ａ…規制機構部としての規制カム、３５…ローラとしてのピックアップローラ、３６…規制部、３６ａ…受部としてのカム受部、３６ｂ…押さえ部、３６ｃ…軸支部、３６ｄ…押圧部、４０…伝達機構、５２…底面としての底板、５３…付勢部。
【図１】
2008285254.tif 000003
【図２】
2008285254.tif 000004
【図３】
2008285254.tif 000005
【図４】
2008285254.tif 000006
【図５】
2008285254.tif 000007
【図６】
2008285254.tif 000008
【図７】
2008285254.tif 000009